(57)【特許請求の範囲】
【請求項１】
被験者の個人身体情報を入力するための入力手段と、該入力された個人身体情報を記憶するための記憶手段と、生体の物理的特性を測定するための測定手段と、該測定された値と入力された個人身体情報から被験者の生体状況を演算する演算−制御手段と、演算結果等を表示する表示手段とを備え、前記入力手段により入力された年齢に基づき、前記演算−制御手段がオートパワーオフまでの待機時間を変更可能にすることを特徴とする生体測定装置。
【請求項２】
被験者の個人身体情報を入力するための入力手段と、該入力された個人身体情報を記憶するための記憶手段と、生体の物理的特性を測定するための測定手段と、該測定された値と入力された個人身体情報から被験者の生体状況を演算する演算−制御手段と、演算結果等を表示する表示手段とを備え、個人身体情報の入力時に、前記入力手段の該当する身体情報入力部分に対応する発光素子が点灯し、前記入力手段により入力された年齢に基づき、前記演算−制御手段がオートパワーオフまでの待機時間を変更することを特徴とする生体測定装置。
【請求項３】
前記入力手段により入力される個人身体情報は、年齢が最初に行われることを特徴とする請求項１または２に記載の生体測定装置。
【請求項４】
前記測定手段により測定される物理的特性は生体電気インピーダンス値であり、前記演算−制御手段により演算される生体状況は被験者の体脂肪に関するものであることを特徴とする請求項１から３のうちいずれか１項に記載の体脂肪計。
【請求項５】
個人身体情報の設定モードにするための設定キーと生体の状況を演算するの流れモードにするための測定スイッチとを備え、前記演算−制御手段は、前記設定キーによる個人身体情報の設定モードの際も、前記測定スイッチによる生体の状況を演算する流れモードの際も共にオートパワーオフを行い、個人身体情報の設定モード時のオートパワーオフまでの待機時間よりも、生体の状況を演算する流れモード時のオートパワーオフまでの待機時間を短くすることを特徴とする請求項項１から４のうちいずれか１項に記載の体脂肪計。
【発明の詳細な説明】
【０００１】
【発明の属する技術分野】
本発明は、身体の物理的特性値を測定する装置の設定及び表示方法に関するものであり、特に生体インピーダンス法に基づき、体脂肪率あるいは体脂肪量を測定する体脂肪計の個人身体情報の設定及び表示方法に関する。
【０００２】
【従来の技術】
近年、健康に関する認識が高まり、血圧、脈拍といった自分の身体に関する様々な情報を簡単に測定する装置が多種、提供され使用されている。特に、健康管理において体重よりも体脂肪率を重要とする傾向が見られつつある。そこで生体インピーダンスを使用して人体の体脂肪量を推定できることを利用した体脂肪計が提案され、簡単に測定が可能であるとして、これを用いた商品が家庭に普及されつつある。体脂肪率の高い人は成人病になる確率も高くなると言われ、現在では健康を気にする若者から高齢者まで体脂肪計を用いて体脂肪のチェックを行うようになってきた。また、体重計付き体脂肪計も普及し始め、体重と体脂肪率の両方から健康管理を行うようになってきた。
【０００３】
これらの体脂肪計は被験者の身体の末端から電流を流入し、その間の電圧を測定することで身体のインピーダンス値を測定するものである。この得られたインピーダンス値と被験者の身長、体重、性別、年齢といった個人身体情報に基づいて、その時点での体脂肪率あるいはその重量である体脂肪量を演算・表示するものである。
【０００４】
【発明が解決しようとする課題】
前述の通り、体内脂肪計は被験者の身長、体重、性別、年齢といった個人身体情報を体脂肪の演算に用いるため、これらのデータを機器に入力する必要がある。そのため、体脂肪計を利用する被験者は、身長、体重、性別、年齢といった個人の身体情報を設定スイッチを用いて順々に設定している。また、体重計付き体脂肪計では、測定した体重値を直接用いて体脂肪率を推定するため、予め体重を設定しておく必要はないが、それでもその他の情報は設定する必要がある。
【０００５】
また、家庭で用いられる生体測定装置は、電池を用いて駆動されるが、スイッチを押した後、長時間表示状態で放置されると、無駄に電流を消費してしまい、直ぐに電池を交換する必要がある。そのため生体測定装置には、一定時間全く入力が行われない場合には、電源を自動的に切るオートパワーオフ機能を持たせ、電池寿命を長くする構成としている。
【０００６】
しかし、生体測定装置を利用する人は機械操作に不慣れである高齢者の場合もある。その時、取扱説明書を読みながら設定を行っていると、オートパワーオフの機能が働いて、設定途中で電源が切れてしまうことがあった。そのため、例えば個人身体情報の設定を最後まで出来なかったり、間違った設定を行ったまま体脂肪計を利用して、体脂肪率測定を行ったりするなど、正しい健康管理が行えない可能性があった。
【０００７】
またオートパワーオフ機能は、生体測定装置の測定時においても働き、一定時間、結果の表示を行った後、数秒後に表示を自動的に消す構成となっている。しかし、この測定時のオートパワーオフの機能は、直ぐに表示内容を判断できる人と、視力が弱かったり思考力が弱くなってきた高齢者といった測定者の違いに係わらず、常に一定時間に設定されており、測定者によっては過去の測定値を思い出しているうちに表示が消えてしまい、表示時間が短いと感じている場合もあった。
【０００８】
本発明は、これらの問題点に鑑みてなされたものであり、つまり、利用者が個人身体情報の設定時には、解かり易くゆっくりと設定できる構成とし、また、利用者に応じて測定結果の表示時間を変更することで生体測定装置を使いやすくすることである。
【０００９】
【課題を解決するための手段】
本発明の生体測定装置は、被験者の個人身体情報を入力するための入力手段と、該入力された個人身体情報を記憶するための記憶手段と、生体の物理的特性を測定するための測定手段と、該測定された値と入力された個人身体情報から被験者の生体状況を演算する演算−制御手段と、演算結果等を表示する表示手段とを備え、個人身体情報の入力時に、前記入力手段の該当する身体情報入力部分に対応する発光素子が点灯することとする。
【００１０】
また、本発明の生体測定装置は、被験者の個人身体情報を入力するための入力手段と、該入力された個人身体情報を記憶するための記憶手段と、生体の物理的特性を測定するための測定手段と、該測定された値と入力された個人身体情報から被験者の生体状況を演算する演算−制御手段と、演算結果等を表示する表示手段とを備え、前記入力手段により入力された年齢に基づき、前記演算−制御手段がオートパワーオフまでの待機時間を変更可能にすることとする。
【００１１】
また、本発明の生体測定装置は、被験者の個人身体情報を入力するための入力手段と、該入力された個人身体情報を記憶するための記憶手段と、生体の物理的特性を測定するための測定手段と、該測定された値と入力された個人身体情報から被験者の生体状況を演算する演算−制御手段と、演算結果等を表示する表示手段とを備え、個人身体情報の入力時に、前記入力手段の該当する身体情報入力部分に対応する発光素子が点灯し、前記入力手段により入力された年齢に基づき、前記演算−制御手段がオートパワーオフまでの待機時間を変更することとする。
【００１２】
また、本発明の生体測定装置は、前記入力手段により入力される個人身体情報は、年齢が最初に行われることとする。
【００１３】
また、本発明の生体測定装置は、測定手段により測定される物理的特性は生体電気インピーダンス値であり、前記演算−制御手段により演算される生体状況は被験者の体脂肪に関するものである体脂肪計であることとする。
【００１４】
【発明の実施の形態】
本発明の生体測定装置では、被験者の個人身体情報の入力時において、キー入力が可能なスイッチに対応する発光素子を点灯する構成とする。
また本発明の生体測定装置は、被験者の個人身体情報の入力時に入力される年齢に応じて、生体測定装置の電源が自動的に切れるオートパワーオフ機能の待機時間を適宜変更する構成とする。
また本発明の生体測定装置は、被験者の個人身体情報の設定は、年齢が最初に行われる構成とする。
【００１５】
【実施例】
本発明の生体測定装置の一実施例として体脂肪計について、図面を参照して説明する。
図１は本発明の一実施例である体脂肪計の外観を表す図である。図２はその体脂肪計の電気的接続を表すブロック図である。
体脂肪計本体１上面には、電極２Ａ、２Ｂ、３Ａ、３Ｂが設けられている。インピーダンス測定手段として、両足間のインピーダンスを測定することが出来るように、一対の電極２Ａ、２Ｂは高周波の微弱な定電流を印可するための電流供給部４に繋がれている。別の一対の電極３Ａ、３Ｂは前述の定電流による電圧降下分を測定するための電圧検出部５に繋がれている。尚、電極２Ａ、３Ａは右足に接触し、電極２Ｂ、３Ｂは左足に接触するものである。
【００１６】
また、体脂肪計本体１の内部には被験者が体脂肪計本体１に乗ったとき、その重量である被験者の体重を測定する重量測定手段として重量測定装置６を備えている。この電圧検出部５と重量測定装置６は体脂肪計全体の制御及び演算を行う演算−制御手段であるＣＰＵ７に接続されている。このＣＰＵ７には個人設定や、測定の開始の際に押される設定手段であるスイッチ群８が接続され、また、ＣＰＵ７にて求められた体脂肪率や体重、および個人設定内容を表示する表示手段である表示部９、設定された個人身体情報や測定値等を記憶しておく記憶手段である記憶装置１０も接続されている。また、体脂肪計本体１の手前側にはスイッチ群８の一つである測定スイッチ１１が設けられ、測定時にこの測定スイッチ１１が押されると、体脂肪率の測定を開始する。
【００１７】
図３は、表示部９及びスイッチ群８の要部拡大図である。
表示部９はＬＣＤであり、個人身体情報の設定の際に表示されるメッセージや、設定値や測定値を表示することが出来る数値表示部等から構成されている。そのＬＣＤの下には設定スイッチとして、年齢キー８１、性別キー８２、設定／登録キー８３、ダウンキー８４、アップキー８５が配置されている。各キー８１〜８５には、それぞれ対応する発光素子としてＬＥＤ９１〜９４が設けられている。
【００１８】
次に本体脂肪計における個人身体情報の設定の流れについて、図４のフローチャート及び図５の設定状態の表示移行を示す要部拡大図を用いて説明する。
尚、ここでは、５０歳の身長１６０ｃｍの女性が設定を行う場合を説明する。
設定／登録キー８３が押されると、それに対応するＬＥＤ９３も点灯し、個人身体情報の設定モードになる（ステップＳ１）。設定モードになると、表示部９は図５（ａ）に示すように、被験者の年齢を設定することを促す表示が行われ、同時に年齢キー８１に対応するＬＥＤ９１も点灯する（ステップＳ２）。ここで、被験者はダウンキー８４及びアップキー８５を用いて年齢値を変更していくので、これらのキーに対応するＬＥＤ９４も点灯する。被験者は表示を自分の年齢である５０にする（ステップＳ３）。ここでＣＰＵ７は、設定／登録キー８３が押されたかを判定し、押された場合にはその年齢を記憶装置１０に記憶し、押されない場合にはステップ２へ戻り、年齢を設定することを促す表示状態を続ける（ステップＳ４）。
【００１９】
年齢が記憶装置１０に記憶されると、ＣＰＵ７は年齢を考慮したオートパワーオフまでの待機時間を求める。ここでは、年齢の十の桁×３０（秒）＝オートパワーオフ待機時間とし、その時間を演算、設定する。現在、５０歳が設定されているので、５×３０＝１５０（秒）、すなわち２．５分が設定される。設定と同時にＣＰＵ７内のタイマーが稼動し、オートパワーオフとなるまでの時間を測定する。このタイマーは、図４のフローチャートと別に、ＣＰＵ７のバックグラウンドで走っており、以後の設定モード中に２．５分間、全くキー入力がない場合には、自動的に電源が切れることになるものである。つまり、キー入力が行われる度に、タイマーはリセットされ、再度２．５分間を測定することとなる（ステップＳ５）。
【００２０】
年齢が設定されると年齢キー８１に対応するＬＥＤ９１は消灯し、表示部９は図５（ｂ）に示すように、被験者の性別を設定することを促す表示が行われ、同時に性別キー８２に対応するＬＥＤ９２が点灯する（ステップＳ６）。被験者は性別キー８２を押すことで、表示部９に表示される性別を切り替える。ここでは女性が選択される（ステップＳ７）。ここで、年齢キー８１が押されていないかを判断し、押された場合には、設定した年齢を間違えたと判断し、再度年齢設定が行えるように、ステップＳ２に戻る（ステップＳ８）。次に設定／登録キー８３が押されたかを判定し、押された場合にはその性別を記憶装置１０に記憶し、押されない場合にはステップＳ６へ戻り、性別を設定することを促す表示状態を続ける（ステップＳ９）。
【００２１】
性別が設定されると性別キー８２に対応するＬＥＤ９２は消灯し、表示部９は図５（ｃ）に示すように、被験者の身長を設定することを促す表示が行われ、同時にダウンキー８４及びアップキー８５に対応するＬＥＤ９４が点灯する（ステップＳ１０）。被験者はダウンキー８４及びアップキー８５を用いて身長値を変更していく。ここで被験者は自分の身長である１６０にする（ステップＳ１１）。ここで、年齢キー８１が押されていないかを判断し、押された場合には、設定した年齢を間違えたと判断し、再度年齢設定が行えるように、ステップＳ２に戻る（ステップＳ１２）。また、性別キー８２が押されていないかも判断し、押された場合には、設定した性別を間違えたと判断し、再度性別設定が行えるように、ステップＳ６に戻る（ステップＳ１３）。次に設定／登録キー８３が押されたかを判定し、押された場合にはその身長を記憶装置１０に記憶し、押されない場合にはステップＳ１０へ戻り、身長を設定することを促す表示状態を続ける（ステップＳ１４）。身長が設定されると、全ての設定が終了したものとし、設定モードは終了する。
【００２２】
次に体脂肪率測定時の流れについて、図４のフローチャートを用いて説明する。
測定スイッチ１１が押されると、体脂肪計本体１の電源が入り（ステップ１５）、個人身体情報の設定が行われているかを判断する。ここで個人身体情報の設定が行われていない場合には、ステップＳ２の設定モードに自動的に移行し、年齢から順に設定していくこととなる（ステップＳ１６）。
【００２３】
個人身体情報の設定が行われている場合には、ＣＰＵ７は記憶装置１０より被験者の身体情報を読み出してくる。このとき、被験者の年齢も読み込まれ、設定モードの場合と同様に結果表示のオートパワーオフまでの待機時間を求める。尚、表示される体脂肪率と体重の値を把握できる程度の時間があればよいので、設定モードのように、高齢者だからといって数分間も表示する必要はなく、設定モードより短い時間の範囲内で、被験者の年齢に応じた年齢考慮オートパワーオフの待機時間に変更する構成が望ましい。ここでは、記憶されている年齢の十の桁×５（秒）＝オートパワーオフ待機時間とする。つまり記憶された年齢が５０歳であれば、５×５＝２５（秒）が設定される（ステップＳ１７）。
【００２４】
被験者は、体脂肪計の各電極２Ａ、２Ｂ、３Ａ、３Ｂに足の裏が接触するように乗り、重量測定装置６が重量を検知すると同時に、生体電気インピーダンスの測定を開始する。ＣＰＵ７は測定された生体電気インピーダンス値と記憶されていた被験者の身体情報から、体脂肪率を演算する。同時に体重も測定される（ステップＳ１８）。
【００２５】
被験者の体脂肪率が演算されると、ＣＰＵ７内のタイマーが稼動し、設定されたオートパワーオフまでの時間を測定する（ステップＳ１９）。タイマーが稼動すると表示部９に体脂肪率と体重の演算結果を表示する（ステップＳ２０）。ここで、タイマーが設定時間に成ったかを判断し、設定時間まで経過していなければステップＳ２０に戻り結果表示を続け、経過していれば表示が消えることで終了となる。
【００２６】
以上、本発明の生体測定装置における一実施例を示したが、ここでは個人設定項目として、年齢、性別、身長を設定する形態を示したが、これに限定することなく、例えば、アスリートであるかどうかや人種を設定するように設定項目を変更してもよいし、あるいは、複数人数分の個人設定を記憶しておく構成としてもよい。
【００２７】
また、ここでは身体情報入力部分に対応する発光素子の位置として、入力キーの上方にＬＥＤを設けた構成を示したが、入力キーの内部に発光素子を設けたり、キー内部の発光素子の発光により文字が浮かび上がる形態としてもよい。
【００２８】
また、ここでは年齢考慮オートパワーオフの待機時間を入力された年齢に基づいて設定したが、例えば被験者の生年月日を設定する構成とし、年齢は生体測定装置の演算手段が求めればよいので、年齢を直接入力する構成に限らず、被験者の年齢が推測できる情報であればよい。
【００２９】
また、ここでは被験者の身体情報設定時における年齢考慮オートパワーオフの待機時間の設定として、被験者の年齢の十の桁×３０（秒）を例に挙げたが、これに限ることはなく、例えば４０歳までは一定時間とし、それ以上の年齢が設定された場合には年齢によって待機時間を変更するという様な構成としてもよく、利用する電池と回路の消費電流を考慮して、利用者が使い易いと考えられる待機時間に適宜変更すればよい。
【００３０】
また、ここでは体脂肪計の形態として、両足間のインピーダンスを測定する方法を挙げたが、本発明は体脂肪計の個人身体情報の設定方法に関する発明であるので、これに限定する必要はなく、両手間や手足間で測定するもの、あるいはそれらを組み合わせて各部位の体脂肪を測定する体脂肪計であってもよい。
【００３１】
また、ここでは生体測定装置の例として体脂肪計を挙げて説明したが、本発明は個人身体情報を入力し、その入力された情報と測定された生体の物理的特性値から生体の状況を演算し表示する装置について用いることが可能なものであり、体脂肪計に限定することはない。
【００３２】
【発明の効果】
本発明の生体測定装置を用いると、個人身体情報の設定時において、キー入力が可能なスイッチに対応する発光素子が点灯するので、その時点で押すべきキーを簡単に把握でき、利用者は点灯に導かれるように各身体情報の入力を順番に行っていくことができるので設定が行い易いものとなる。
【００３３】
また、年齢に応じてオートパワーオフ機能の待機時間を変更する体脂肪計とすれば、利用者に特別に設定を行って貰う必要もなく、通常の体脂肪計において設定される年齢というパラメータを用いて、オートパワーオフの待機時間を変更することが可能である。これにより、例えば高齢者になる程オートパワーオフまでの時間を長くすることができ、個人身体情報の設定時においては、機械操作の苦手な人でも、ゆっくりと設定を行うことができ、設定途中での電源切れや、誤まった個人身体情報の設定による体脂肪の誤測定も減らすことができる。また体脂肪の測定時であれば、高齢者でもゆっくりと表示を見ることができるので、体脂肪の変化を十分に判断する時間も持て、使い易いものとなる。
【００３４】
また、個人身体情報の設定時に、年齢を設定項目の最初に行う構成とすれば、年齢入力さえ完了していれば、直ぐにその後の設定中も年齢に応じたオートパワーオフの待機時間に変更できるので、より設定が行い易いものとなる。
【図面の簡単な説明】
【図１】本発明の一実施例である体脂肪計の外観図
【図２】本発明の一実施例である体脂肪計の電気的ブロック図
【図３】本発明の一実施例である体脂肪計の表示部及びスイッチ部を示す図
【図４】本発明の一実施例である体脂肪計の設定及び測定の流れを示すフローチャート
【図５】本発明の一実施例である体脂肪計の設定状態の表示移行を示す要部拡大図
【符号の説明】
１  体脂肪計本体
２Ａ、２Ｂ、３Ａ、３Ｂ  電極
４  電流供給部
５  電圧検出部
６  重量測定装置
７  ＣＰＵ
８  スイッチ群
９  表示部
１０  記憶装置
１１  測定スイッチ
８１  年齢キー
８２  性別キー
８３  設定／登録キー
８４  ダウンキー
８５  アップキー
９１〜９４  ＬＥＤ
【図１】
0003791825.tif 000002
【図２】
0003791825.tif 000003
【図３】
0003791825.tif 000004
【図４】
0003791825.tif 000005
【図５】
0003791825.tif 000006